(57)【特許請求の範囲】
【請求項１】
油密を要さない調節ボルト（１１）に封印用ナット（１３）を螺装し、該調節ボルト（１１）の取付位置を、該封印用ナット（１３）により固定して、封印用キャップ（１４）を被せて封印する構造において、前記封印用ナット（１３）には、中部外周に封印用キャップ（１４）に形成した係止部（１４ａ）を係止する鍔部（１３ａ）と、該鍔部（１３ａ）の上部の工具嵌合部（１３ｂ）と、更に工具嵌合部（１３ｂ）の上部外周のテーパ部（１３ｄ）と、更に工具嵌合部（１３ｂ）の下部の円筒形状のボス部（１３ｆ）を、一体化して設け、該封印用ナット（１３）の軸心部には貫通孔（１３ｅ）を開口し、該貫通孔（１３ｅ）の下端から内部途中までの内周に、調節ボルト（１１）と螺合するネジ部（１３ｃ）を形成し、該封印用ナット（１３）の全長を、該封印用ナット（１３）に締め付けられる調節ボルト（１１）の一端が、該封印用ナット（１３）上端から突出しない長さとしたことを特徴とする封印用ナット。
【発明の詳細な説明】
【０００１】
【発明の属する技術分野】
本発明は調節ボルトをセットした後に、封印用ナットで締め付けて、この封印用ナットにキャップを被せてユーザーが調節ボルトの回転調節ができないようにする技術に関し、特に、内燃機関等のリミッタやアイドル調整に用いられる調節ボルトを締付固定する封印用ナットに関する。
【０００２】
【従来の技術】
従来から内燃機関等の最高回転数（ハイアイドル）を、調節ボルトを回動して調節し、該調節ボルトを締付ナットで締め付けることにより最高回転数を確定し、その後この最高回転数をいたずらにユーザーが変更できないように、調節ボルト及び締付ナット外周に封印用キャップを被せていた。
【０００３】
そして、図５に示すように、取付部２に調節ボルト１を螺装して、該調節ボルト１に第一締付ナット（ロックナット）３を締め付けることにより調節ボルト１の位置を確定していたのであるが、該第一締付ナット３の他に第二締付ナット４を設け、更に両締付ナットの間にカラー部材５を嵌め込んで、封印用キャップ６に設けた爪状の係止部６ａを第二締付ナット４と係合させて、封印用キャップ６を被せるという構成であった。
【０００４】
【発明が解決しようとする課題】
しかし、前記の構成であると、油密を要しない直噴式エンジンにおいても、封印用キャップの係止部を係止するためには、第一締付ナット、カラー部材、第二締付ナットが必要となり、部品点数が多くなるという不具合があった。また、これらの部品を一体化した締付ナットを用いることによる調節ボルトの封印装置の構造の簡略化及び組立て調整工数の低減を図ることが求められていた。
【０００５】
【課題を解決するための手段】
本発明の解決しようとする課題は以上の如くであり、次にこの課題を解決するための手段を説明する。
【０００６】
油密を要さない調節ボルト（１１）に封印用ナット（１３）を螺装し、該調節ボルト（１１）の取付位置を、該封印用ナット（１３）により固定して、封印用キャップ（１４）を被せて封印する構造において、前記封印用ナット（１３）には、中部外周に封印用キャップ（１４）に形成した係止部（１４ａ）を係止する鍔部（１３ａ）と、該鍔部（１３ａ）の上部の工具嵌合部（１３ｂ）と、更に工具嵌合部（１３ｂ）の上部外周のテーパ部（１３ｄ）と、更に工具嵌合部（１３ｂ）の下部の円筒形状のボス部（１３ｆ）を、一体化して設け、該封印用ナット（１３）の軸心部には貫通孔（１３ｅ）を開口し、該貫通孔（１３ｅ）の下端から内部途中までの内周に、調節ボルト（１１）と螺合するネジ部（１３ｃ）を形成し、該封印用ナット（１３）の全長を、該封印用ナット（１３）に締め付けられる調節ボルト（１１）の一端が、該封印用ナット（１３）上端から突出しない長さとしたものである。
【０００７】
【発明の実施の形態】
次に、本発明の実施の形態を、図面に基づいて説明する。
【０００８】
図１は本発明の封印用ナットを取り付けた封印装置の断面図、図２は封印用ナットの正面図、図３は封印用キャップ装着時の封印用ナットの正面図、図４は封印用ナットの正面断面図、図５は従来の封印装置を示す断面図である。
【０００９】
まず、図１において、封印装置１０をエンジンに設ける調節ボルトに取り付ける実施例について説明する。但し、調節ボルトの位置を固定して外側（頭部側、または工具による調節側）から回転調節できないようにキャップを被せる構成であればエンジンの燃料制限やアイドル調節に限定するものではない。
【００１０】
ガバナケースまたはシリンダブロック、ケース側壁等が調節ボルトの封印装置１０の取付部（本実施例ではガバナケース）１２となり、該取付部１２に調節ボルト１１を螺装するための螺子孔１２ａが開口されて雌螺子が形成されている。該螺子孔１２ａに調節ボルト１１が螺装されて、一端がガバナケース１２に挿入されその先端にレギュレターレバー１９の一端が当接可能に配設されている。
【００１１】
該レギュレターレバー１９はガバナと連結されて、使用者が要求するエンジンの回転数に応じて回動できるようにしており、該レギュレターレバー１９の一端が調節ボルト１１の先端に当接することにより、燃料噴射量が制限されて最高回転数が制限されるように構成している。
【００１２】
前記調節ボルト１１の他端面には直径方向に切込み１１ａが形成されて、該切込みに１１ａにマイナスドライバーの先端を差し込んで回転させることにより、ガバナケース１２内への突出長さを調節して、最高回転数を設定することができる。実際には、図１における矢印（イ）方向へ突出させることにより減速（回転数を減少）させることができ、矢印（ロ）方向へ退避させることで増速（回転数を増加）させることができる。
【００１３】
そして、前記ガバナケース１２外側方向に突出した調節ボルト１１の部分上に封印用ナット１３が螺装され、該封印用ナット１３を締め付けることにより、調節ボルト１１の位置を決めて確定することができる。そして、調節ボルト１１の突出部は後述するように封印用ナット１３に覆われており、前記封印用ナット１３の外側に封印用キャップ１４が被せられ、調節ボルト１１、封印用ナット１３を回動できないようにしているのである。
【００１４】
次に、本発明の封印用ナット１３の構成について、図１乃至図４より説明する。なお、軸心方向を上下方向とする。封印用ナット１３は外周下側よりボス部１３ｆ、鍔部１３ａ、工具嵌合部１３ｂ、テーパ部１３ｄより一体的に構成しており、上下中部付近のボス部１３ｆの上部外周には鍔部１３ａが設けられており、該鍔部１３ａはその外径をボス部１３ｆや工具嵌合部１３ｂの外径より大きくした薄い円筒状をしており、該封印用ナット１３側面から突出している。前記鍔部１３ａより上部は二面巾部を有する（本実施例では平面断面視で六角形状としているが、四角形とすることもできる）工具嵌合部１３ｂとなっており、スパナ等の工具を嵌合して締め付け、または弛めることを可能としている。従来では、先に述べた如く、封印用キャップ１４を被せる際には、締付ナットとは別にロックナットやカラー部材等が必要であったが、これらの部品を一体化して封印用ナット１３として前記のような構成をとしたため、部品点数の削減につながり、組立て調整工数も低減されることになる。
【００１５】
前記封印用ナット１３の二面巾部を有する工具嵌合部１３ｂの上部には、軸心側に円錐状に傾斜するテーパ部１３ｄが形成され、後述する封印用キャップ１４を被せる際には、前記テーパ部１３ｄがガイドとなって組み付け性を向上させている。
【００１６】
封印用ナットの鍔部１３ａ下部のボス部１３ｆはロックナットのような形状とせず円筒形状としており、その高さを後述する封印用キャップ１４の係止部１４ａの上端位置の長さに合わせている。こうすることで、封印用キャップ１４を被せた後において、封印用キャップ１４に外力を加えて回転させようとしても、封印用キャップの爪状の係止部１４ａはボス部１３ｆが円筒形状となっているため係止できずに空転することになる。
【００１７】
また、封印用ナット１３の軸心部には貫通孔１３ｅが上下方向に貫通開口され、該貫通孔１３ｅの下部（本実施例では鍔部１３ａより下方）内周、言い換えれば下端から上方途中部までに調節ボルト１１と螺合するネジ部１３ｃが形成されている。このように内周を全ネジ構造としないことでボルトの倒れによる弛みを防止する。また、貫通孔１３ｅの上部は開放されており、袋ナットのような構成とはせず、長ボルトにも螺装できるようにしている。但し、前記封印用ナット１３上部を開放しない有底部を備える形状とすることも可能である。すなわち、キャップ付きのナット、袋ナットのような構成にしても差し支えない。
【００１８】
前記封印用ナット１３の全長は、調節ボルト１１を位置決めした際に、該封印用ナット１３の上端から該調節ボルト１１が突出しない長さとして、調節ボルト１１が封印用ナット１３に埋没するようにしている。封印用ナット１３の上端を開放しているため、調節ボルト１１が突出してしまうこともありうるが、このような長さとすることにより、ユーザーが一般工具で前記調節ボルト１１を回転させることを困難にしている。
【００１９】
封印用キャップ１４は、段付き円筒形状に構成されており、 外周に複数箇所（本実施例では二箇所）の絞り部１４ｂ・１４ｃを有している。前記絞り部１４ｂ・１４ｃの内径は、封印用ナット１３の工具嵌合部１３ｂの長手側直径より若干小さくなっており、封印用キャップ１４を封印用ナット１３の外周に摩擦押圧するようにして被せる。前記絞り部１４ｂ・１４ｃは、それぞれ前記工具嵌合部１３ｂと複数箇所の嵌合接点を有し、位置がずれたり、がたつきが発生しないようにしている。なお、下部の絞り部１４ｂは前記封印用キャップ１４を被せるときのスムースなガイドとして役立ち、上部の絞り部１４ｃは被せた後の封印用キャップ１４のずれや倒れ、振れを防止する。また、封印用キャップ１４上部には、貫通孔１４ｄが開口されており、 封印用ナットをその上部を開放しない有底部を備える形状とした袋ナットのような構成とした場合には、該貫通孔１４ｄの周縁部が袋ナット先端の球面部の部分に密着当接するようにしている。
【００２０】
そして、封印用キャップ１４の下部外周に複数箇所（本実施例では３箇所）爪状の係止部１４ａが内側へ斜め方向に折り曲げられて形成している。該係止部１４ａが封印用ナット１３に封印用キャップ１４を上方より被せたときに、前記鍔部１３ａに引っ掛かることにより、該封印用キャップ１４が係止される。このとき、前記鍔部１３ａはガイドとなって封印用キャップ１４を係止する位置を決めている。つまり、前記係止部１４ａ先端から封印用キャップ１４の基部端までの長さと、封印用ナットの鍔部１３ａより下部の長さとを略一致させてている。
【００２１】
このような構成において、組み立てた後に最高回転数を調整するときに、調節ボルト１１を取付部（ガバナケース）１２に螺装して、調節ボルト１１上端に形成した溝１１ａにマイナスドライバー等を差し込んで回転して、設定回転となる位置で、調節ボルト１１をマイナスドライバーで保持しながら封印用ナット１３を締め付けて位置固定し、その上から封印用キャップ１４を押し込んで被せるのである。このとき、調節ボルト１１の外側の突出部分は封印用ナット１３内に十分収納されており、封印用キャップの絞り部１４ｂ・１４ｃは封印用ナット１３の側面を押圧しながら摩擦摺動し、がたなく被せることができ、終端まで押し込むと、爪状の係止部１４ａの先端が封印用ナットの鍔部１３ａの取付部１２側の面に引っ掛かり、抜けないようになる。こうして、封印用キャップ１４が被せられた状態では封印用ナット１３は外からは見えなくなり、工具等で弛めることができなくなり、ユーザーがいたずらに調整ボルト１１を回転して最高回転数を変更できないようにしている。そして、サービスマン等がメンテナンスや修理等において、再調整する場合には、封印用キャップ１４を切り裂く等して取り外し、封印用ナット１３を弛めて、調節ボルト１１を回転して再調整する。その後、封印用ナット１３を締付固定し、新たな封印用キャップ１４を外側から被せるのである。
【００２２】
【発明の効果】
本発明は、以上のように構成したので、以下に示すような効果を奏する。
【００２３】
油密を要さない調節ボルト（１１）に封印用ナット（１３）を螺装し、該調節ボルト（１１）の取付位置を、該封印用ナット（１３）により固定して、封印用キャップ（１４）を被せて封印する構造において、前記封印用ナット（１３）には、中部外周に封印用キャップ（１４）に形成した係止部（１４ａ）を係止する鍔部（１３ａ）と、該鍔部（１３ａ）の上部の工具嵌合部（１３ｂ）と、更に工具嵌合部（１３ｂ）の上部外周のテーパ部（１３ｄ）と、更に工具嵌合部（１３ｂ）の下部の円筒形状のボス部（１３ｆ）を、一体化して設け、該封印用ナット（１３）の軸心部には貫通孔（１３ｅ）を開口し、該貫通孔（１３ｅ）の下端から内部途中までの内周に、調節ボルト（１１）と螺合するネジ部（１３ｃ）を形成し、該封印用ナット（１３）の全長を、該封印用ナット（１３）に締め付けられる調節ボルト（１１）の一端が、該封印用ナット（１３）上端から突出しない長さとしたので、従来のロックナットやカラー部材等を、一体的に構成した封印用ナットとすることができ、封印装置の構造簡略化及び組立て調整工数の低減を図ることができる。
また、部品点数を減らすとともに、コスト削減も図られる。更に、封印用ナットを全ネジ構造としていないことにより、ボルトの倒れによる弛みを防止できる。
【００２４】
また、前記封印用ナットの上部外周にテーパ部を形成したので、封印用キャップを被せる際に、テーパ部をガイドとすることにより封印用キャップの組み付け性を向上させることができる。
【００２５】
また、前記封印用ナットの鍔部より下部を円筒形状としたので、封印用キャップを被せた後においての封印装置の耐封印解除性を向上させることができる。
【００２６】
また、前記封印用ナットの全長を、該封印用ナットに締め付けられる調節ボルトの一端が該封印用ナット上端から突出しない長さとしたので、調節ボルトに一般工具が直接取り付くのを防ぎ、ユーザーによる調節ボルトの調整を困難にすることができる。
【図面の簡単な説明】
【図１】  本発明の封印用ナットを取り付けた封印装置の断面図。
【図２】  封印用ナットの正面図。
【図３】  封印用キャップ装着時の封印用ナットの正面図。
【図４】  封印用ナットの正面断面図。
【図５】  従来の封印装置を示す断面図。
【符号の説明】
１１  調節ボルト
１２  取付部
１３  封印用ナット
１３ａ  鍔部
１３ｃ  ネジ部
１３ｄ  テーパ部
１３ｅ  貫通孔
１４  封印用キャップ
１４ａ  係止部
１４ｂ・１４ｃ  絞り部
【図１】
0003999980.tif 000002
【図２】
0003999980.tif 000003
【図３】
0003999980.tif 000004
【図４】
0003999980.tif 000005
【図５】
0003999980.tif 000006